(57)【要約】画像情報を表示する画像表示装置であって、画像情報を取得する画像取得部と、  自装置の状況を特定する装置状況特定部と、前記装置状況特定部が特定した状況に基づいて、前記画像情報を表示するために当該画像情報が満たすべき条件を示す画像条件を特定する画像条件特定部と、前記画像取得部が取得した画像情報が前記画像条件特定部が特定した画像条件を満たす場合に、当該画像情報を表示する表示部とを備える。
2013031584.tif 000002
【特許請求の範囲】
【請求項１】
画像情報を表示する画像表示装置であって、
画像情報を取得する画像取得部と、
自装置の状況を特定する装置状況特定部と、
前記装置状況特定部が特定した状況に基づいて、前記画像情報を表示するために当該画像情報が満たすべき条件を示す画像条件を特定する画像条件特定部と、
前記画像取得部が取得した画像情報が前記画像条件特定部が特定した画像条件を満たす場合に、当該画像情報を表示する表示部と
を備えることを特徴とする画像表示装置。
【請求項２】
前記画像取得部は、位置情報を含む画像情報を取得し、
前記画像条件は、前記画像取得部が取得した画像情報に含まれる位置情報が自装置の現在位置を基準とする所定の範囲内に存在する場合に当該画像情報を表示するという条件であり、
前記画像条件特定部は、前記装置状況特定部が特定した状況に応じて、前記画像条件の範囲を特定する
ことを特徴とする請求項１に記載の画像表示装置。
【請求項３】
前記画像取得部が取得した画像情報に基づいて、当該画像情報を表示するために自装置が満たすべき条件を示す装置条件を特定する装置条件特定部を備え、
前記表示部は、自装置の状況が前記装置条件特定部が特定した装置条件を満たす場合に、前記画像情報を表示する
ことを特徴とする請求項１または請求項２に記載の画像表示装置。
【請求項４】
前記装置状況特定部は、自装置が屋外に存在するか屋内に存在するかを特定し、
前記画像条件特定部は、前記装置状況特定部によって自装置が屋内に存在すると特定した場合に、自装置が屋外に存在すると特定した場合より狭い範囲を前記画像条件の範囲として特定する
ことを特徴とする請求項２に記載の画像表示装置。
【請求項５】
前記装置状況特定部は、自装置の周囲の障害物の多さを特定し、
前記画像条件特定部は、自装置の周囲の障害物が多いほど、狭い範囲を前記画像条件の範囲として特定する
ことを特徴とする請求項２に記載の画像表示装置。
【請求項６】
前記装置状況特定部は、自装置の進行方向を特定し、
前記画像条件特定部は、前記画像条件の範囲を、自装置の現在位置から前記装置状況特定部が特定した進行方向へ延びる所定の矩形範囲として特定する
ことを特徴とする請求項２に記載の画像表示装置。
【請求項７】
前記画像条件は、前記画像取得部が取得した画像情報に所定の人物に関連する情報が含まれる場合に当該画像情報を表示するという条件であり、
前記装置状況特定部は、自装置の周囲に存在する人物を特定し、
前記画像条件特定部は、前記画像条件の人物を、前記装置状況特定部が特定した人物として特定する
ことを特徴とする請求項１から請求項６の何れか１項に記載の画像表示装置。
【請求項８】
画像情報を表示する画像表示装置であって、
画像情報を取得する画像取得部と、
前記画像取得部が取得した画像情報に基づいて、当該画像情報を表示するために自装置が満たすべき条件を示す装置条件を特定する装置条件特定部と、
自装置の状況が前記装置条件特定部が特定した装置条件を満たす場合に、前記画像情報を表示する表示部と
を備えることを特徴とする画像表示装置。
【請求項９】
前記画像取得部は、所定の範囲を示す範囲情報を含む画像情報を取得し、
前記装置条件は、自装置の位置が前記画像取得部が取得した画像情報に含まれる範囲情報が示す範囲内に存在する場合に当該画像情報を表示するという条件である
ことを特徴とする請求項８に記載の画像表示装置。
【請求項１０】
画像情報を生成する画像生成装置であって、
画像情報を生成する画像生成部と、
前記画像生成部が画像情報を生成したときの自装置の状況を特定する装置状況特定部と、
前記装置状況特定部が特定した状況に基づいて、前記画像情報を表示するために当該画像情報を表示する装置が満たすべき条件を示す装置条件を、前記画像生成部が生成した画像情報に付与する装置条件付与部と
を備えることを特徴とする画像生成装置。
【請求項１１】
画像情報を表示する画像表示装置を用いた画像表示方法であって、
画像取得部は、画像情報を取得し、
装置状況特定部は、自装置の状況を特定し、
画像条件特定部は、前記装置状況特定部が特定した状況に基づいて、前記画像情報を表示するために当該画像情報が満たすべき条件を示す画像条件を特定し、
表示部は、前記画像取得部が取得した画像情報が前記画像条件特定部が特定した画像条件を満たす場合に、当該画像情報を表示する
ことを特徴とする画像表示方法。
【請求項１２】
画像情報を表示する画像表示装置を用いた画像表示方法であって、
画像取得部は、画像情報を取得し、
装置条件特定部は、前記画像取得部が取得した画像情報に基づいて、当該画像情報を表示するために自装置が満たすべき条件を示す装置条件を特定し、
表示部は、自装置の状況が前記装置条件特定部が特定した装置条件を満たす場合に、前記画像情報を表示する
ことを特徴とする画像表示方法。
【請求項１３】
画像情報を生成する画像生成装置を用いた画像生成方法であって、
画像生成部は、画像情報を生成し、
装置状況特定部は、前記画像生成部が画像情報を生成したときの自装置の状況を特定し、
装置条件付与部は、前記装置状況特定部が特定した状況に基づいて、前記画像情報を表示するために当該画像情報を表示する装置が満たすべき条件を、前記画像生成部が生成した画像情報に付与する
ことを特徴とする画像生成方法。
【請求項１４】
画像情報を表示する画像表示装置を、
画像情報を取得する画像取得部、
自装置の状況を特定する装置状況特定部、
前記装置状況特定部が特定した状況に基づいて、前記画像情報を表示するために当該画像情報が満たすべき条件を示す画像条件を特定する画像条件特定部、
前記画像取得部が取得した画像情報が前記画像条件特定部が特定した画像条件を満たす場合に、当該画像情報を表示する表示部
として機能させるためのプログラム。
【請求項１５】
画像情報を表示する画像表示装置を、
画像情報を取得する画像取得部、
前記画像取得部が取得した画像情報に基づいて、当該画像情報を表示するために自装置が満たすべき条件を示す装置条件を特定する装置条件特定部、
自装置の状況が前記装置条件特定部が特定した装置条件を満たす場合に、前記画像情報を表示する表示部
として機能させるためのプログラム。
【請求項１６】
画像情報を生成する画像生成装置を、
画像情報を生成する画像生成部、
前記画像生成部が画像情報を生成したときの自装置の状況を特定する装置状況特定部、
前記装置状況特定部が特定した状況に基づいて、前記画像情報を表示するために当該画像情報を表示する装置が満たすべき条件を示す装置条件を、前記画像生成部が生成した画像情報に付与する装置条件付与部装置条件付与部
として機能させるためのプログラム。
【発明の詳細な説明】
【技術分野】
【０００１】
本発明は、画像情報を表示する画像表示装置及び画像表示方法、画像情報を生成する画像生成装置及び画像生成方法、並びにプログラムに関する。
本願は、２０１１年８月２９日に出願された特願２０１１−１８５６５８号に基づき優先権を主張し、その内容をここに援用する。
【背景技術】
【０００２】
近年、デジタルカメラなどの電子撮像装置が普及しており、手軽に画像情報を生成することができる。また、このような電子撮像装置は、ビューア機能を有しており、撮像した画像情報を閲覧することができる。
ところで、近年の情報技術の進歩により、電子撮像装置の内部メモリや外部記憶媒体に記憶しておくことができるデータ量は、膨大な量になりつつある。これにより、電子撮像装置は、多量の画像情報を保有することができる。
しかしながら、電子撮像装置内に多量の画像情報が記憶されると、利用者が画像を閲覧する際に、目当ての画像情報を探すことが困難になってしまうという問題があった。【０００３】
このような問題に対して、特許文献１には、撮像した画像情報に撮像時の位置情報を関連付けておき、閲覧時の位置情報と画像情報の位置情報を比較して所定の結果を得たときに、所定のメッセージと当該画像情報とを表示させる技術が開示されている。
【先行技術文献】
【特許文献】
【０００４】
【特許文献１】特開２００７−２１４９０６号公報
【発明の概要】
【発明が解決しようとする課題】
【０００５】
しかしながら、特許文献１には、どのような方法で画像情報の比較を行い、またどのような結果を得たときに写真を表示させるのかが明確になっていない。また、対象となる複数の画像情報の中から利用者が現在位置と関連する画像情報を適切に選択するためには、周囲の状況や画像情報の内容に応じて関連の有無を判定する必要がある。
本発明は、上記の問題に鑑みてなされたものであり、表示する画像情報として、複数の画像情報の中から適切な画像情報を選択することができる画像表示装置及び画像表示方法、そのための画像を生成する画像生成装置及び画像生成方法、並びにプログラムを提供することを課題とする。
【課題を解決するための手段】
【０００６】
本発明は上記の課題を解決するためになされたものであり、画像情報を表示する画像表示装置であって、画像情報を取得する画像取得部と、自装置の状況を特定する装置状況特定部と、前記装置状況特定部が特定した状況に基づいて、前記画像情報を表示するために当該画像情報が満たすべき条件を示す画像条件を特定する画像条件特定部と、前記画像取得部が取得した画像情報が前記画像条件特定部が特定した画像条件を満たす場合に、当該画像情報を表示する表示部とを備える装置を提供する。【０００７】
また、本発明は、画像情報を表示する画像表示装置であって、画像情報を取得する画像取得部と、前記画像取得部が取得した画像情報に基づいて、当該画像情報を表示するために自装置が満たすべき条件を示す装置条件を特定する装置条件特定部と、自装置の状況が前記装置条件特定部が特定した装置条件を満たす場合に、前記画像情報を表示する表示部とを備える装置も提供する。【０００８】
また、本発明は、画像情報を生成する画像生成装置であって、画像情報を生成する画像生成部と、前記画像生成部が画像情報を生成したときの自装置の状況を特定する装置状況特定部と、前記装置状況特定部が特定した状況に基づいて、前記画像情報を表示するために当該画像情報を表示する装置が満たすべき条件を示す装置条件を、前記画像生成部が生成した画像情報に付与する装置条件付与部とを備える装置も提供する。【０００９】
また、本発明は、画像情報を表示する画像表示装置を用いた画像表示方法であって、画像取得部は、画像情報を取得し、装置状況特定部は、自装置の状況を特定し、画像条件特定部は、前記装置状況特定部が特定した状況に基づいて、前記画像情報を表示するために当該画像情報が満たすべき条件を示す画像条件を特定し、表示部は、前記画像取得部が取得した画像情報が前記画像条件特定部が特定した画像条件を満たす場合に、当該画像情報を表示することを特徴とする。【００１０】
また、本発明は、画像情報を表示する画像表示装置を用いた画像表示方法であって、画像取得部は、画像情報を取得し、装置条件特定部は、前記画像取得部が取得した画像情報に基づいて、当該画像情報を表示するために自装置が満たすべき条件を示す装置条件を特定し、表示部は、自装置の状況が前記装置条件特定部が特定した装置条件を満たす場合に、前記画像情報を表示することを特徴とする。【００１１】
また、本発明は、画像情報を生成する画像生成装置を用いた画像生成方法であって、画像生成部は、画像情報を生成し、装置状況特定部は、前記画像生成部が画像情報を生成したときの自装置の状況を特定し、装置条件付与部は、前記装置状況特定部が特定した状況に基づいて、前記画像情報を表示するために当該画像情報を表示する装置が満たすべき条件を、前記画像生成部が生成した画像情報に付与することを特徴とする。【００１２】
また、本発明は、画像情報を表示する画像表示装置を、画像情報を取得する画像取得部、自装置の状況を特定する装置状況特定部、前記装置状況特定部が特定した状況に基づいて、前記画像情報を表示するために当該画像情報が満たすべき条件を示す画像条件を特定する画像条件特定部、前記画像取得部が取得した画像情報が前記画像条件特定部が特定した画像条件を満たす場合に、当該画像情報を表示する表示部として機能させるためのプログラムである。【００１３】
また、本発明は、画像情報を表示する画像表示装置を、画像情報を取得する画像取得部、前記画像取得部が取得した画像情報に基づいて、当該画像情報を表示するために自装置が満たすべき条件を示す装置条件を特定する装置条件特定部、自装置の状況が前記装置条件特定部が特定した装置条件を満たす場合に、前記画像情報を表示する表示部として機能させるためのプログラムである。【００１４】
また、本発明は、画像情報を生成する画像生成装置を、画像情報を生成する画像生成部、前記画像生成部が画像情報を生成したときの自装置の状況を特定する装置状況特定部、前記装置状況特定部が特定した状況に基づいて、前記画像情報を表示するために当該画像情報を表示する装置が満たすべき条件を示す装置条件を、前記画像生成部が生成した画像情報に付与する装置条件付与部装置条件付与部として機能させるためのプログラムである。
【発明の効果】
【００１５】
本発明によれば、画像表示装置は、自装置と画像情報との関係において、自装置の現在の状況から特定される装置条件または画像情報に含まれる画像条件を満たす場合に画像情報を表示する。これにより、画像表示装置は、表示する画像情報として、複数の画像情報の中から適切な画像情報を選択することができる。
【図面の簡単な説明】
【００１６】
【図１】第１の実施形態による携帯端末の構成を示す概略ブロック図である。
【図２】第１の実施形態において設定される画像条件の例を示す図である。
【図３】第１の実施形態による携帯端末の画像表示時の動作を示すフローチャートである。
【図４】第２の実施形態による携帯端末の画像表示時の動作を示すフローチャートである。
【図５】第３の実施形態において設定される画像条件の例を示す図である。
【図６】第３の実施形態による携帯端末の画像表示時の動作を示すフローチャートである。
【図７】第４の実施形態による携帯端末の構成を示す概略ブロック図である。
【図８】第４の実施形態による携帯端末の画像撮像時の動作を示すフローチャートである。
【図９】第４の実施形態による携帯端末の画像表示時の動作を示すフローチャートである。
【図１０】第５の実施形態による携帯端末の構成を示す概略ブロック図である。
【発明を実施するための形態】
【００１７】
＜第１の実施形態＞
以下、図面を参照しながら本発明の実施形態について詳しく説明する。
図１は、第１の実施形態による携帯端末の構成を示す概略ブロック図である。
第１の実施形態による携帯端末（画像表示装置）は、カメラアプリケーションとビューアアプリケーションを実行する。そして、携帯端末は、カメラアプリケーションの実行によって撮像された画像情報のうち、当該画像情報が生成された位置と画像表示装置の現在位置との差が所定範囲内であるものを、ビューアアプリケーションの実行によって表示する。
【００１８】
携帯端末は、撮像部１（画像生成部）、画像記憶部２、位置情報取得部３、画像取得部４、装置状況特定部５、画像条件特定部６、表示判定部７、表示部８を備える。
撮像部１は、携帯端末のカメラアプリケーションが実行されたときに、携帯端末に設けられた光学系（図示せず）を介して撮像処理を行い、画像情報を生成する。また、撮像部１は、生成した画像情報を画像記憶部２に記録する。
位置情報取得部３は、ＧＰＳ（Ｇｌｏｂａｌ  Ｐｏｓｉｔｉｏｎｉｎｇ  Ｓｙｓｔｅｍ）機能により、携帯端末のカメラアプリケーションが実行された時刻における携帯端末の位置を取得し、撮像部１が撮像した画像情報に関連付けて当該位置情報を画像記憶部２に記録する。また、位置情報取得部３は、携帯端末のビューアアプリケーションが実行された時刻における携帯端末の位置を取得する。
画像記憶部２は、上述のように、撮像部１が撮像した画像情報及び当該画像情報が撮像された位置を示す位置情報を記憶する。
【００１９】
画像取得部４は、携帯端末のビューアアプリケーションが実行されたときに、画像記憶部２から画像情報を取得する。
装置状況特定部５は、携帯端末の環境情報として、携帯端末が屋内に存在するか屋外に存在するかを特定する。
【００２０】
図２は、第１の実施形態において設定される画像条件の例を示す図である。
画像条件特定部６は、装置状況特定部５が特定した環境状況に基づいて、画像取得部４が取得した画像情報を表示するために当該画像情報が満たすべき条件である画像条件を特定する。
具体的には、画像条件特定部６は、携帯端末が屋内にいる場合、図２の（Ａ）側に示すように、現在位置を中心として半径Ａの円の範囲内で撮像された画像情報であることを、画像条件として特定する。
他方、画像条件特定部６は、携帯端末が屋外にいる場合、図２の（Ｂ）側に示すように、現在位置を中心として半径Ｂ（Ａ＜Ｂ）の円の範囲内で撮像された画像情報であることを、画像条件として特定する。
表示判定部７は、画像取得部４が取得した画像情報に含まれる位置情報と、位置情報取得部３が取得した位置情報との関係が、画像条件特定部６が特定した画像条件を満たすか否かを判定し、画像条件を満たす画像情報を、表示部８に出力する。
表示部８は、表示判定部７から受け付けた画像情報を携帯端末のディスプレイ（図示せず）に表示する。
【００２１】
次に、第１の実施形態による携帯端末の動作について説明する。
図３は、第１の実施形態による携帯端末の画像表示時の動作を示すフローチャートである。
利用者の操作により携帯端末がビューアアプリケーションを実行すると（ステップＳ１０１）、位置情報取得部３は、現在時刻における携帯端末の位置を示す位置情報を取得する（ステップＳ１０２）。次に、装置状況特定部５は、携帯端末が屋内に存在するか屋外に存在するかを示す装置状況を特定する（ステップＳ１０３）。
【００２２】
ここで、携帯端末が屋内に存在するか屋外に存在するかを特定する方法について説明する。
例えば、装置状況特定部５は、撮像部１を起動し、撮像部１のオートフォーカス機能などによって算出される被写体までの距離が所定の閾値以上である場合に、屋外に存在すると特定することができる。また例えば、装置状況特定部５は、携帯端末のマイクから周囲の音声を取得し、取得した音声にエコーが含まれる場合に、屋内に存在すると特定することができる。また、音波や光の発信器及び受信機が携帯端末に設けられている場合、音波または光を発信してから受信するまでの時間が所定時間以内である場合に、屋内に存在すると特定することができる。
なお、ここで挙げた方法はいずれも屋内外の特定方法の一例であり、その他の方法を用いて屋内外の特定を行っても良い。
【００２３】
ステップＳ１０３で装置状況特定部５が装置状況を特定すると、画像条件特定部６は、装置状況を参照し、携帯端末が屋内に存在するか否かを判定する（ステップＳ１０４）。
画像条件特定部６は、携帯端末が屋内に存在すると判定した場合（ステップＳ１０４：ＹＥＳ）、画像条件を、「画像情報に含まれる位置情報が自装置の現在位置を中心として半径Ａの円の範囲内に存在する場合に当該画像情報を表示する」という条件に特定する（ステップＳ１０５）。
他方、画像条件特定部６は、携帯端末が屋外に存在すると判定した場合（ステップＳ１０４：ＮＯ）、画像条件を、「画像情報に含まれる位置情報が自装置の現在位置を中心として半径Ｂ（Ａ＜Ｂ）の円の範囲内に存在する場合に当該画像情報を表示する」という条件に特定する（ステップＳ１０６）。
【００２４】
画像条件特定部６がステップＳ１０５またはステップＳ１０６で画像条件を特定すると、携帯端末は、画像記憶部２が記憶する画像情報毎に、以下に示すステップＳ１０８〜ステップＳ１１０の処理を繰り返し実行する（ステップＳ１０７）。
まず、画像取得部４は、画像記憶部２から画像情報を取得し、取得した画像情報から位置情報を読み出す（ステップＳ１０８）。
次に、表示判定部７は、ステップＳ１０２で位置情報取得部３が取得した位置情報とステップＳ１０８で画像取得部４が読み出した位置情報との関係が、画像条件特定部６がステップＳ１０５またはステップＳ１０６で特定した画像条件を満たすか否かを判定する（ステップＳ１０９）。
すなわち、表示判定部７は、ステップＳ１０８で画像取得部４が読み出した位置情報が、ステップＳ１０２で位置情報取得部３が取得した位置情報が示す位置を中心として、当該画像条件に対応する半径ＡまたはＢの円の範囲内に存在するか否かを判定する。
【００２５】
表示判定部７が画像条件を満たすと判定した場合（ステップＳ１０９：ＹＥＳ）、表示判定部７は、画像取得部４が取得した画像情報を表示部８に出力する。そして、表示部８は、表示判定部７から取得した画像情報をディスプレイに表示する（ステップＳ１１０）。
他方、表示判定部７が画像条件を満たさないと判定した場合（ステップＳ１０９：ＮＯ）、表示部８は画像取得部４が取得した画像情報を表示しない。
そして、ステップＳ１０８〜ステップＳ１１０の処理を、画像記憶部２が記憶する全ての画像情報に対して実行すると、携帯端末は処理を終了する。
【００２６】
このように、本実施形態によれば、画像条件特定部６は、装置状況特定部５が特定した状況に基づいて画像条件を特定し、表示部８は、画像取得部４が取得した画像情報が前記画像条件特定部６が特定した画像条件を満たす場合に、当該画像情報を表示する。これにより、携帯端末は、表示する画像情報として、複数の画像情報の中から適切な画像情報を選択することができる。
【００２７】
また、本実施形態における画像条件は、画像取得部４が取得した画像情報に含まれる位置情報が自装置の現在位置を基準とする所定の範囲内に存在する場合に当該画像情報を表示するという条件であり、画像条件特定部６は、前記装置状況特定部５が特定した状況に応じて、画像条件の範囲を特定する。これにより、携帯端末は、複数の画像情報の中から現在位置に関連する画像情報を適切に選択することができる。
【００２８】
また、本実施形態では、装置状況特定部５は、自装置が屋外に存在するか屋内に存在するかを特定し、画像条件特定部６は、装置状況特定部５によって自装置が屋内に存在すると特定した場合に、自装置が屋外に存在すると特定した場合より狭い範囲を画像条件の範囲として特定する。これにより、携帯端末は、利用者がある施設の屋内にいる場合に画像条件の範囲を狭めることで、当該施設に関連しない可能性が高い画像を除外することができる。他方、携帯端末は、利用者が屋外にいる場合に画像条件の範囲を広げることで、より多くの画像を表示することができる。
【００２９】
＜第２の実施形態＞
次に、本発明の第２の実施形態について説明する。
第２の実施形態による携帯端末は、第１の実施形態による携帯端末と、装置状況特定部５、画像条件特定部６の処理が異なる。
第２の実施形態において装置状況特定部５は、携帯端末の環境情報として、携帯端末の周囲に存在する障害物が多いか否かを特定する。
画像条件特定部６は、携帯端末の周囲に存在する障害物が多い場合、現在位置を中心として半径Ｃの円の範囲内で撮像された画像情報であることを、画像条件として特定する。
他方、画像条件特定部６は、携帯端末の周囲に存在する障害物が少ない場合、現在位置を中心として半径Ｄ（Ｃ＜Ｄ）の円の範囲内で撮像された画像情報であることを、画像条件として特定する。
【００３０】
次に、第２の実施形態による携帯端末の動作について説明する。
図４は、第２の実施形態による携帯端末の画像表示時の動作を示すフローチャートである。なお、第１の実施形態と同じ処理を行う部分については、同じ符号を用いて説明する。
利用者の操作により携帯端末がビューアアプリケーションを実行すると（ステップＳ１０１）、位置情報取得部３は、現在時刻における携帯端末の位置を示す位置情報を取得する（ステップＳ１０２）。次に、装置状況特定部５は、携帯端末の周囲に障害物が多いか否かを示す装置状況を特定する（ステップＳ２０１）。
【００３１】
ここで、携帯端末の周囲に障害物が多いか否かを特定する方法について説明する。
例えば、装置状況特定部５は、撮像部１を起動し、撮像部１が撮像する画像情報のコントラスト値が所定の閾値以上である場合に、周囲に障害物が多いと特定することができる。また例えば、装置状況特定部５は、携帯端末のマイクから周囲の音声を取得し、取得した音声に複数のエコーが含まれる場合に、周囲に障害物が多いと特定することができる。
また、音波や光の発信器及び受信機が携帯端末に設けられている場合、受信した音波や光がマルチパスの影響により複数検出される場合に、障害物が多いと特定することができる。
なお、ここで挙げた方法はいずれも障害物の多少の特定方法の一例であり、その他の方法を用いて障害物の多少の特定を行っても良い。
【００３２】
ステップＳ２０１で装置状況特定部５が装置状況を特定すると、画像条件特定部６は、装置状況を参照し、携帯端末の周囲に障害物が多数存在するか否かを判定する（ステップＳ２０２）。
画像条件特定部６は、携帯端末の周囲に障害物が多数存在すると判定した場合（ステップＳ２０２：ＹＥＳ）、画像条件を、「画像情報に含まれる位置情報が自装置の現在位置を中心として半径Ｃの円の範囲内に存在する場合に当該画像情報を表示する」という条件に特定する（ステップＳ２０３）。
他方、画像条件特定部６は、携帯端末の周囲の障害物が少数であると判定した場合（ステップＳ２０２：ＮＯ）、画像条件を、「画像情報に含まれる位置情報が自装置の現在位置を中心として半径Ｄ（Ｃ＜Ｄ）の円の範囲内に存在する場合に当該画像情報を表示する」という条件に特定する（ステップＳ２０４）。
【００３３】
画像条件特定部６がステップＳ２０３またはステップＳ２０４で画像条件を特定すると、携帯端末は、画像記憶部２が記憶する画像情報毎に、以下に示すステップＳ１０８〜ステップＳ１１０の処理を繰り返し実行する（ステップＳ１０７）。
まず、画像取得部４は、画像記憶部２から画像情報を取得し、取得した画像情報から位置情報を読み出す（ステップＳ１０８）。
次に、表示判定部７は、ステップＳ１０２で位置情報取得部３が取得した位置情報とステップＳ１０８で画像取得部４が読み出した位置情報との関係が、画像条件特定部６がステップＳ２０３またはステップＳ２０４で特定した画像条件を満たすか否かを判定する（ステップＳ１０９）。
すなわち、表示判定部７は、ステップＳ１０８で画像取得部４が読み出した位置情報が、ステップＳ１０２で位置情報取得部３が取得した位置情報が示す位置を中心として、当該画像条件に応じて半径ＣまたはＤの円の範囲内に存在するか否かを判定する。
【００３４】
表示判定部７が画像条件を満たすと判定した場合（ステップＳ１０９：ＹＥＳ）、表示判定部７は、画像取得部４が取得した画像情報を表示部８に出力する。そして、表示部８は、表示判定部７から取得した画像情報をディスプレイに表示する（ステップＳ１１０）。
他方、表示判定部７が画像条件を満たさないと判定した場合（ステップＳ１０９：ＮＯ）、表示部８は画像取得部４が取得した画像情報を表示しない。
そして、ステップＳ１０８〜ステップＳ１１０の処理を、画像記憶部２が記憶する全ての画像情報に対して実行すると、携帯端末は処理を終了する。
【００３５】
このように、本実施形態では、装置状況特定部５は、自装置の周囲に障害物が多数存在するか否かを特定し、画像条件特定部６は、自装置の周囲の障害物が多いほど、狭い範囲を前記画像条件の範囲として特定する。
これにより、携帯端末は、障害物が多い場所にいる場合に画像条件の範囲を狭めることで、可視範囲内に関連しない可能性が高い画像を除外することができる。他方、携帯端末は、障害物が少ない場所にいる場合に画像条件の範囲を広げることで、可視範囲内の多くの画像を表示することができる。
【００３６】
＜第３の実施形態＞
次に、本発明の第３の実施形態について説明する。
第３の実施形態による携帯端末は、第１の実施形態による携帯端末と、装置状況特定部５、画像条件特定部６の処理が異なる。
第３の実施形態において装置状況特定部５は、携帯端末の環境情報として、利用者の移動手段、及び移動方向を特定する。
【００３７】
図５は、第３の実施形態において設定される画像条件の例を示す図である。
画像条件特定部６は、利用者の移動手段が自動車や電車などの高速移動手段である場合、図５に示すように、現在位置から、装置状況特定部５が特定した移動方向に延びる矩形であって、移動方向の長さがＥであり幅がＦである矩形の範囲内で撮像された画像情報であることを、画像条件として特定する。
他方、画像条件特定部６は、利用者の移動手段が徒歩や自転車などの低速移動手段である場合、現在位置を中心として半径Ｇの円の範囲内で撮像された画像情報であることを、画像条件として特定する。
【００３８】
次に、第３の実施形態による携帯端末の動作について説明する。
図６は、第３の実施形態による携帯端末の画像表示時の動作を示すフローチャートである。なお、第１の実施形態と同じ処理を行う部分については、同じ符号を用いて説明する。
利用者の操作により携帯端末がビューアアプリケーションを実行すると（ステップＳ１０１）、位置情報取得部３は、現在時刻における携帯端末の位置を示す位置情報を取得する（ステップＳ１０２）。次に、装置状況特定部５は、装置状況として利用者の移動手段を特定する（ステップＳ３０１）。
【００３９】
ここで、移動手段の特定する方法について説明する。
例えば、装置状況特定部５は、携帯端末の加速度センサに基づいて、携帯端末の加速度を測定し、加速度が所定の閾値以上である場合に、高速移動手段での移動中であると特定することができる。また、装置状況特定部５は、位置情報取得部３から異なる２つの時刻において位置情報を取得し、２点の位置情報が示す位置の距離が所定の閾値以上である場合に、高速移動手段での移動中であると特定することができる。
なお、ここで挙げた方法はいずれも移動手段の特定方法の一例であり、その他の方法を用いて移動手段の特定を行っても良い。
【００４０】
装置状況特定部５は、ステップＳ３０１で移動手段を特定すると、次に移動方向を特定する（ステップＳ３０２）。
移動方向の特定方法としては、例えば、装置状況特定部５は、位置情報取得部３から異なる２つの時刻において位置情報を取得し、２点の位置情報が示す位置同士を結ぶ直線の角度から特定することができる。また例えば、装置状況特定部５は、地磁気センサから方角を取得し、加速度センサが加速度を検出した方向と方角とを組み合わせることで、移動方向を特定することができる。
なお、ここで挙げた方法はいずれも移動方向の特定方法の一例であり、その他の方法を用いて移動方向の特定を行っても良い。
【００４１】
次に、画像条件特定部６は、装置状況を参照し、移動手段が高速移動手段であるか否かを判定する（ステップＳ３０３）。
画像条件特定部６は、移動手段が高速移動手段であると判定した場合（ステップＳ３０３：ＹＥＳ）、画像条件を、「現在位置から、装置状況特定部５が特定した移動方向に延びる矩形であって、移動方向の長さがＥであり幅がＦである矩形の範囲内に存在する場合に当該画像情報を表示する」という条件に特定する（ステップＳ３０４）。
他方、画像条件特定部６は、移動手段が低速移動手段であると判定した場合（ステップＳ３０３：ＮＯ）、画像条件を、「画像情報に含まれる位置情報が自装置の現在位置を中心として半径Ｇの円の範囲内に存在する場合に当該画像情報を表示する」という条件に特定する（ステップＳ３０５）。
【００４２】
画像条件特定部６がステップＳ３０４またはステップＳ３０５で画像条件を特定すると、携帯端末は、画像記憶部２が記憶する画像情報毎に、以下に示すステップＳ１０８〜ステップＳ１１０の処理を繰り返し実行する（ステップＳ１０７）。
まず、画像取得部４は、画像記憶部２から画像情報を取得し、取得した画像情報から位置情報を読み出す（ステップＳ１０８）。
次に、表示判定部７は、ステップＳ１０２で位置情報取得部３が取得した位置情報とステップＳ１０８で画像取得部４が読み出した位置情報との関係が、画像条件特定部６がステップＳ３０４またはステップＳ３０５で特定した画像条件を満たすか否かを判定する（ステップＳ１０９）。
すなわち、表示判定部７は、ステップＳ１０８で画像取得部４が読み出した位置情報が、当該画像条件に応じて、ステップＳ１０２で位置情報取得部３が取得した位置情報から、ステップＳ３０２で装置状況特定部５が特定した移動方向に延びる矩形であって、移動方向の長さがＥであり幅がＦである矩形の範囲内、またはステップＳ１０２で位置情報取得部３が取得した位置情報が示す位置を中心として半径Ｇの円の範囲内に存在するか否かを判定する。
【００４３】
表示判定部７が画像条件を満たすと判定した場合（ステップＳ１０９：ＹＥＳ）、表示判定部７は、画像取得部４が取得した画像情報を表示部８に出力する。
そして、表示部８は、表示判定部７から取得した画像情報をディスプレイに表示する（ステップＳ１１０）。他方、表示判定部７が画像条件を満たさないと判定した場合（ステップＳ１０９：ＮＯ）、表示部８は画像取得部４が取得した画像情報を表示しない。
そして、ステップＳ１０８〜ステップＳ１１０の処理を、画像記憶部２が記憶する全ての画像情報に対して実行すると、携帯端末は処理を終了する。
【００４４】
このように、本実施形態では、装置状況特定部５は、利用者の移動手段を特定し、画像条件特定部６は、利用者の移動手段が高速移動手段である場合に、画像条件の範囲を、自装置の現在位置から装置状況特定部５が特定した進行方向へ延びる所定の矩形範囲として特定する。これにより、携帯端末は、高速移動手段によって移動している場合に、通過した地点において撮像された画像を除外することができる。
【００４５】
＜第４の実施形態＞
次に、本発明の第４の実施形態について説明する。
図７は、第４の実施形態による携帯端末の構成を示す概略ブロック図である。
第４の実施形態による携帯端末（画像表示装置、画像生成装置）は、画像情報に含まれる装置条件に基づいて画像情報を表示するか否かを判定するものであり、第１の実施形態による携帯端末の、画像条件特定部６に代えて、装置条件付与部９及び装置条件特定部１０を備える。
装置条件付与部９は、装置状況特定部５が特定した撮像部１が画像情報を撮像したときの装置状況に基づいて、当該画像情報を表示するために携帯端末が満たすべき条件を示す装置条件を特定し、当該装置条件を、撮像部１が撮像した画像情報に関連付けて画像記憶部２に記録する。なお、装置条件の例としては、第１〜３の実施形態に示す画像条件と同様の条件が挙げられる。
装置条件特定部１０は、画像取得部４が取得した画像情報から装置条件を読み出すことで、当該画像情報の装置条件を特定する。
【００４６】
次に、第４の実施形態による携帯端末の動作について説明する。
図８は、第４の実施形態による携帯端末の画像撮像時の動作を示すフローチャートである。
利用者の操作により携帯端末がカメラアプリケーションを実行すると、撮像部１が起動する。そして、利用者の操作により撮像部１が撮像処理を実行すると（ステップＳ４０１）、位置情報取得部３は、現在時刻における携帯端末の位置を示す位置情報を取得する（ステップＳ４０２）。
次に、装置状況特定部５は、携帯端末の状況を示す装置状況を特定する（ステップＳ４０３）。なお、上述したように、装置状況の例としては、第１の実施形態に示すような屋内外の条件、第２の実施形態に示すような障害物の多少、第３の実施形態に示すような移動手段などが挙げられる。
【００４７】
次に、装置条件付与部９は、装置状況特定部５が特定した装置状況に基づいて装置条件を特定する（ステップＳ４０４）。
そして、撮像部１は、ステップＳ４０１で撮像した画像情報を、ステップＳ４０２で位置情報取得部３が取得した位置情報及びステップＳ４０４で装置条件付与部９が特定した装置条件に関連付けて画像記憶部２に記録する（ステップＳ４０５）。
これにより、画像記憶部２は、位置情報及び装置条件が付与された画像情報を記憶する。
【００４８】
図９は、第４の実施形態による携帯端末の画像表示時の動作を示すフローチャートである。なお、第１の実施形態と同じ処理を行う部分については、同じ符号を用いて説明する。
利用者の操作により携帯端末がビューアアプリケーションを実行すると（ステップＳ１０１）、位置情報取得部３は、現在時刻における携帯端末の位置を示す位置情報を取得する（ステップＳ１０２）。
【００４９】
次に、携帯端末は、画像記憶部２が記憶する画像情報毎に、以下に示すステップＳ４０６〜ステップＳ１１０の処理を繰り返し実行する（ステップＳ１０７）。
まず、画像取得部４は、画像記憶部２から画像情報を取得する。
次に、装置条件特定部１０は、画像取得部４が取得した画像情報から装置条件を読み出す（ステップＳ４０６）。
次に、画像取得部４は、ステップＳ１０７で取得した画像情報から位置情報を読み出す（ステップＳ１０８）。
次に、表示判定部７は、ステップＳ１０２で位置情報取得部３が取得した位置情報とステップＳ１０８で画像取得部４が読み出した位置情報との関係が、装置条件特定部１０が読み出した装置条件を満たすか否かを判定する（ステップＳ４０７）。
【００５０】
表示判定部７が装置条件を満たすと判定した場合（ステップＳ４０７：ＹＥＳ）、表示判定部７は、画像取得部４が取得した画像情報を表示部８に出力する。そして、表示部８は、表示判定部７から取得した画像情報をディスプレイに表示する（ステップＳ１１０）。
他方、表示判定部７が装置条件を満たさないと判定した場合（ステップＳ４０７：ＮＯ）、表示部８は画像取得部４が取得した画像情報を表示しない。
そして、ステップＳ４０６〜ステップＳ１１０の処理を、画像記憶部２が記憶する全ての画像情報に対して実行すると、携帯端末は処理を終了する。
【００５１】
このように、本実施形態によれば、装置条件付与部９は、装置状況特定部５が特定した撮像時の状況に基づいて装置条件を画像情報に付与する。また、表示部８は、携帯端末が画像情報に含まれる装置条件を満たす場合に、当該画像情報を表示する。これにより、携帯端末は、表示する画像情報として、複数の画像情報の中から適切な画像情報を選択することができる。
【００５２】
＜第５の実施形態＞
次に、本発明の第５の実施形態について説明する。
図１０は、第５の実施形態による携帯端末の構成を示す概略ブロック図である。
第５の実施形態による携帯端末は、第１の実施形態の構成と第４の実施形態の構成の双方を備える。つまり、第５の実施形態による携帯端末の表示判定は、画像条件特定部６が特定した画像条件及び装置条件特定部１０が特定した装置条件の何れかを満たす画像情報を、表示部８に出力する。
これにより、第５の実施形態による携帯端末は、端末装置の現在の状況に適した画像情報、及び撮像されたときの状況から表示することが適当であると判断される画像情報を表示することができる。
【００５３】
＜第６の実施形態＞
次に、本発明の第６の実施形態について説明する。
第６の実施形態による携帯端末は、第１の実施形態による携帯端末と、装置状況特定部５、画像条件特定部６の処理が異なる。
第６の実施形態において装置状況特定部５は、携帯端末の環境情報として、携帯端末の周囲に存在する人物を特定する。なお、人物の特定は、例えば、撮像部１が撮像する画像情報やマイクから取得される音声などにより顔、姿、声などの情報を取得することで特定する。
画像条件特定部６は、装置状況特定部５が特定した人物が含まれる画像情報であることを、画像条件として特定する。
これにより、携帯端末は、利用者の現在の同行者に関連する画像情報を表示することができる。
【００５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した実施形態では、画像条件の範囲を所定の半径を有する円とする場合を説明したが、これに限られず、第３の実施形態に示したように進行方向に延びる矩形の範囲であっても良いし、進行方向に延びる楕円形の範囲など、その他の形状であっても良い。
【００５５】
また、上述した実施形態では、画像条件を満たす場合に必ず画像情報を表示する場合について説明したが、これに限られず、例えば移動手段が高速移動手段である場合に、画像情報の表示を行わないような制御をしても良い。
【００５６】
また、上述した実施形態では、携帯端末は自装置が備える画像記憶部２内の画像情報を表示する場合について説明したが、これに限られず、画像取得部４がネットワークを介して接続される外部のサーバ装置や近距離通信により接続される他の通信装置等から画像情報を取得するようにしても良い。
【００５７】
また、上述した第４の実施形態では、装置条件付与部９が画像情報に装置条件を付与し、装置条件特定部１０が当該装置条件を読み出す場合について説明したが、これに限られない。例えば、装置状況特定部５が特定した装置状況を画像情報に付与し、装置条件特定部１０が、画像情報に含まれる装置状況に基づいて装置条件を特定するようにしても良い。
【００５８】
また、上述の携帯端末は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。
また、このコンピュータプログラムを通信回線によってコンピュータに配信し、この配信を受けたコンピュータが当該プログラムを実行するようにしても良い。
【００５９】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【産業上の利用可能性】
【００６０】
本発明によれば、画像表示装置は、自装置と画像情報との関係において、自装置の現在の状況から特定される装置条件または画像情報に含まれる画像条件を満たす場合に画像情報を表示する。これにより、画像表示装置は、表示する画像情報として、複数の画像情報の中から適切な画像情報を選択することができる。
【符号の説明】
【００６１】
１…撮像部  ２…画像記憶部  ３…位置情報取得部  ４…画像取得部  ５…装置状況特定部  ６…画像条件特定部  ７…表示判定部  ８…表示部  ９…装置条件付与部  １０…装置条件特定部
【図１】
2013031584.tif 000003
【図２】
2013031584.tif 000004
【図３】
2013031584.tif 000005
【図４】
2013031584.tif 000006
【図５】
2013031584.tif 000007
【図６】
2013031584.tif 000008
【図７】
2013031584.tif 000009
【図８】
2013031584.tif 000010
【図９】
2013031584.tif 000011
【図１０】
2013031584.tif 000012
【国際調査報告】
2013031584.tif 000013
2013031584.tif 000014
2013031584.tif 000015
2013031584.tif 000016
2013031584.tif 000017
2013031584.tif 000018
2013031584.tif 000019